(57)【特許請求の範囲】
【請求項１】
矩形の底壁の前後左右の４辺にそれぞれ対向する一対の側壁と対向する一対の端壁を有する包装箱内に嵌め入れて、包装箱内に収容する複数の球状物品を左右に仕切る、一枚の厚紙からなる包装箱用仕切枠において、包装箱の底壁上面に重ね合わされる左右の底パッドと、この左右の底パッド間に連設された前後に張り出す一対の仕切壁とからなり、この仕切壁に、仕切壁を左右に分ける山折り線を形成し、左右の底パッド間と前後の仕切壁の付け根部分に、上記仕切壁を山折り線によって山折りし、かつ山折り状態で底パッドに対して仕切壁を起立させる許容部を設け、この許容部が、左右の底パッド間に形成した貫通孔と、前後の仕切壁の付け根部分に形成した山折り線及び谷折り線とで区画された三角形部からなり、山形に折り曲げて起立させた前後一対の仕切壁の両側縁をそれぞれ前後の側壁の内面に当接させるようにした包装箱用仕切枠。
【請求項２】
矩形の底壁の前後左右の４辺にそれぞれ対向する一対の側壁と対向する一対の端壁を有する包装箱内に嵌め入れて、包装箱内に収容する複数の球状物品を左右に仕切る、一枚の厚紙からなる包装箱用仕切枠において、包装箱の底壁上面に重ね合わされる左右の底パッドと、この左右の底パッド間に連設された前後に張り出す一対の仕切壁とからなり、この仕切壁に、仕切壁を左右に分ける山折り線を形成し、左右の底パッド間と前後の仕切壁の付け根部分に、上記仕切壁を山折り線によって山折りし、かつ山折り状態で底パッドに対して仕切壁を起立させる許容部を設け、この許容部が、左右の底パッド間に形成した、山形の折り曲げ部と、前後の仕切壁の付け根部分を山形の折り曲げ部の前後縁に折り重ねる複数の折り目線と切り込み線とからなり、山形に折り曲げて起立させた前後一対の仕切壁の両側縁をそれぞれ前後の側壁の内面に当接させるようにした包装箱用仕切枠。
【発明の詳細な説明】
【０００１】
【発明の属する技術分野】
この発明は、包装箱内に、西瓜等球状の物品を複数収容する場合に、左右の物品が衝突して損傷しないように、包装箱内に嵌め入れて物品相互間を仕切る包装箱用仕切枠に関するものである。
【０００２】
【従来の技術】
従来、この種の仕切枠として、段ボール等の厚紙から形成された仕切板に、複数の折り目を設け、アコーデオン状に折り畳んで物品の間に挿入するようにしたものがある。
【０００３】
しかしながら、このような仕切板は、西瓜を包装箱に収容した後、西瓜の間にできる間隔に見合う厚みになるように折り畳む必要があり、組立てに手間がかかるという問題がある。
【０００４】
また、従来のこの種の仕切板は、単に、収容物品間に嵌め入れて仕切るだけで収容物品の底部までを保護するものではなく、西瓜等の壊れやすくて、重量がある収納物品の場合には、仕切板以外に、収容物品の保護のために、包装箱の底面に底パッドを嵌め入れなければならないという問題がある。
【０００５】
そこで、この発明は、底パッドが一体になった仕切枠を、一枚の段ボール等の厚紙から折り曲げによって簡単に形成しようとするものである。
【０００６】
【課題を解決するための手段】
この発明に係る包装箱用仕切枠は、包装箱の底壁上面に重ね合わされる左右の底パッドと、この左右の底パッド間に連設された前後に張り出す一対の仕切壁とからなり、この仕切壁に、仕切壁を左右に分ける山折り線を形成し、左右の底パッド間と前後の仕切壁の付け根部分に、上記仕切壁を山折り線によって山折りし、かつ山折り状態で底パッドに対して仕切壁を起立させる許容部を設け、山形に折り曲げて起立させた前後一対の仕切壁の両側縁をそれぞれ前後の側壁の内面に当接させるようにしたものである。
【０００７】
上記許容部は、左右の底パッド間に形成した、貫通孔又は山形の折り曲げ部と、前後の仕切壁の付け根部分に形成した複数の折り目線とからなる。
【０００８】
上記仕切壁を、山折り線によって山折りにすると、左右の底パッド間に形成した、許容部の貫通孔又は山形の折り曲げ部によって左右の底パッドが互いに近づく方向に移動して、仕切壁の山折り状態が維持されるようになっている。また、この状態で、仕切壁は、その付け根部分の複数の折り目線によって底パッドに対して起立するように折曲げられる。
【０００９】
【発明の実施の形態】
図１乃至図５は、この発明に係る仕切枠の第一の形態を示している。
【００１０】
仕切枠は、図１の展開図に示すように、一枚の段ボール等の厚紙からなる。
【００１１】
包装箱１は、西瓜等の球状の物品Ａを左右に並べて収容できる大きさに段ボール等の厚紙によって形成され、矩形の底壁と、この矩形の底壁の前後左右の４辺に形成された対向する一対の側壁と対向する一対の端壁とを有する。
【００１２】
仕切枠は、包装箱１の底壁上面に重ね合わされる左右の底パッド２と、この左右の底パッド２間に連設された前後に張り出す一対の仕切壁３とからなる。
【００１３】
上記仕切壁３には、仕切壁３を左右に分ける山折り線４が形成されている。
【００１４】
そして、上記仕切壁３を、山折り線４によって山折りして、底パッド２に対して起立させるための許容部が、左右の底パッド２の間と、仕切壁３の付け根部分に設けられている。
【００１５】
この許容部は、左右の底パッド２の内側への移動を許容する貫通孔５と、山折り状態で仕切壁３を底パッド２に対して起立させるために必要な複数の折り目線とからなる。
【００１６】
上記貫通孔５は、中央部が平行に広がり、前後両端が仕切壁３の山折り線４に向かって三角形に閉じた形状に形成されている。
【００１７】
上記仕切壁３の両側下端には、中心に向けて斜めに切目６が形成され、この切目６の下端と、左右の底パッド２間の貫通孔５との間に形成される仕切壁３の付け根部分には、貫通孔５の三角形部分の一辺と、山折り線７と、谷折り線８とによって三角形部９が形成されている。
【００１８】
上記仕切壁３を左右に分ける山折り線４、及び付け根部分に形成する山折り線７や谷折り線８は、仕切枠を段ボールによって形成する場合には、表面又は裏面のライナー紙だけが残る深さの切断線、即ち、半切にして折り目が入り易いようにする。
【００１９】
上記仕切枠は、図２に示すように、包装箱１の上面に載置して、仕切壁３を山折り線４によって山形に折り曲げながら、左右の底パッド２部分を下方に押し込むと、図３に示すように、仕切壁３の裏面が包装箱の前後の側壁に当接して底パッド２に対して起立すると共に、左右の底パッド２も貫通孔５が狭くなるように互いに近づいて、図４に示すように、底パッド２が包装箱１の底壁上面に重なり、その際、貫通孔５の両側縁が相互に当接するため、左右の底パッド２相互は重なることがない。
【００２０】
この状態で、左右の底パッド２上に、西瓜等の球状の物品Ａを収容すると、左右の球状の物品Ａの間に、図５に示すように、山形に折り曲げられた仕切壁３が嵌まって、左右の球状の物品Ａの衝突が防止される。そして、この仕切壁３は、その両側縁上端部が包装箱１の側壁内面に当接することにより、山折り線４により左右に分かれた部分同士が空間を保持して良好な緩衝性を発揮する。
【００２１】
また、上記のように構成される仕切枠の左右の幅を、仕切枠を包装箱内に収容した状態で、包装箱の左右の幅よりも少し狭く形成しておくことにより、左右の底パッド２間の貫通孔５が左右に開いて、山形に折り曲げた仕切壁３を左右に少し広げることができるので、径の小さい球状の物品Ａでもガタ付きなく収容することができる。
【００２２】
なお、上記仕切枠の包装箱１への収納は、物品Ａを収容する前に、予め折り曲げて包装箱１内に収容していてもよいし、図２乃至図５に示すように、物品Ａと共に、包装箱１内に折り曲げながら収容するようにしてもよい。
【００２３】
次に、図６乃至図８は、この発明に係る仕切枠の第二の形態を示している。
【００２４】
この第二の仕切枠は、第一の仕切枠と、許容部の形態が次のように相違する。
【００２５】
即ち、第一の仕切枠では、許容部を、左右の底パッド２の間に形成した貫通孔５と、この仕切壁３の付け根部分に形成した山折り線７と谷折り線８とによって形成したが、この第二の仕切枠では、仕切壁３を山折り線４によって山折りする際に、左右の底パッド２の内側への移動を、貫通孔５ではなく、左右の底パッド２間に設けた山形の折り曲げ部１０によって許容している。この山形の折り曲げ部１０は、中央の山折り線１１とその左右の谷折り線１２によって形成されている。また、前後の仕切壁３を山折り状態で起立させるために、仕切壁３の付け根部分には、仕切壁３の山折り線４の下端と山形の折り曲げ部１０の左右の谷折り線１２とを結ぶ山折り線１３と、仕切壁３の山折り線４の下端から山形の折り曲げ部１０の中央の山折り線１１に向かう谷折り線１４を、山形の折り曲げ部１０の前後の辺に沿う谷折り線１５を、上記中央の谷折り線１４の下端を起点にして山形の折り曲げ部１０の前後の辺に向かう三本の切り込み線１６が形成されている。この三本の切り込み線１６の部分を、複数の切り込み線により形成される貫孔にすることもできる。
【００２６】
この第二の仕切枠は、図７に示すように、包装箱の上面に載置して、図８に示すように、包装箱１内に押し入れると、仕切壁３の付け根部分が反転して、左右の底パッド２の間に設けた山形の折り曲げ部１０に重なるように折り曲げられて、包装箱１内に収容される。
【００２７】
次に、図９乃至図１１は、この発明に係る仕切枠の第三の形態を示している。
【００２８】
この第三の仕切枠は、第一の仕切枠と同様に、許容部を貫通孔１７と、複数の折り目線によって形成している。
【００２９】
第一の仕切枠の貫通孔１７は、前後両端がそれぞれ仕切壁３の山折り線４に向かって三角形に閉じるように形成しているが、第三の仕切枠の貫通孔１７は、仕切壁３の山折り線４の両側に、山折り線４を挾んでそれぞれ三角形の部分が突き出た形状に形成されている。そして、この三角形の部分と、仕切壁３の両側下端の切目１８とによって挟まれた仕切壁３の付け根部分には、貫通孔１７の三角形の部分の先端と切目１８の下端とを結ぶ山折り線１９と、この山折り線１９の両端に連なる二つの谷折り線２０、２１とによって二つの三角形部２２、２３が形成されている。
【００３０】
この第三の仕切枠も、図１０に示すように、包装箱１の上面に載置して、図１１に示すように、仕切壁３を山折り線４によって山形に折り曲げながら、包装箱１内に押し入れると、仕切壁３の付け根部分の二つの三角形部２２、２３が山折り線１９と谷折り線２０、２１により折り曲げられて、山形の仕切壁３が底パッド２に対して起立しながら、包装箱１内に収容される。
【００３１】
なお、上記第二の仕切枠と、第三の仕切枠において、第一の仕切枠と共通する底パッド２、仕切壁３、山折り線４は同一符号を付している。
【００３２】
【発明の効果】
この発明の仕切枠は、以上のように、底パッドが一体に形成された一枚の厚紙からなり、しかも包装箱の上面に載置して、包装箱内に押し込むことによって簡単に組立てられるので、西瓜等の球状物品の包装作業を能率的に行えるという効果がある。そして、左右の球状物品間に位置する仕切壁は、その両側縁が包装箱の側壁内面に当接して山折り線によって左右に分かれた部分同士が空間を保持するので、良好な緩衝性を発揮する。
【図面の簡単な説明】
【図１】この発明の仕切枠の第一の形態を示す展開図
【図２】上記第一の仕切枠の組立て途中の状態を示す斜視図
【図３】上記第一の仕切枠の組立て途中の状態を示す斜視図
【図４】上記第一の仕切枠の組立て完了時の状態を示す斜視図
【図５】図４の状態の平面図
【図６】この発明の仕切枠の第二の形態を示す展開図
【図７】上記第二の仕切枠の組立て途中の状態を示す斜視図
【図８】上記第二の仕切枠の組立て完了時の状態を示す斜視図
【図９】この発明の仕切枠の第三の形態を示す展開図
【図１０】上記第三の仕切枠の組立て途中の状態を示す斜視図
【図１１】上記第三の仕切枠の組立て完了時の状態を示す斜視図
【符号の説明】
１  包装箱
２  底パッド
３  仕切壁
４  山折り線
５  貫通孔
６  切目
７  山折り線
８  谷折り線
９  三角形部
１０  折り曲げ部
１１  山折り線
１２  谷折り線
１３  山折り線
１４  谷折り線
１５  谷折り線
１６  切り込み線
１７  貫通孔
１８  切目
１９  山折り線
２０、２１  谷折り線
２２、２３  三角形部
【図１】
0003611641.tif 000002
【図２】
0003611641.tif 000003
【図３】
0003611641.tif 000004
【図４】
0003611641.tif 000005
【図５】
0003611641.tif 000006
【図６】
0003611641.tif 000007
【図７】
0003611641.tif 000008
【図８】
0003611641.tif 000009
【図９】
0003611641.tif 000010
【図１０】
0003611641.tif 000011
【図１１】
0003611641.tif 000012